(57)【要約】      （修正有）【課題】フィルムをホルダーへ加工する加工処理が容易となる記録媒体を提供する。【解決手段】画像が記録される記録面２２を有し、ホルダーに加工される際に折り畳まれる位置に予め折り目２４が付与されたフィルム２０を備える記録媒体１０。【選択図】図１
2013216068.tif 000002
【特許請求の範囲】
【請求項１】
画像が記録される記録面を有し、ホルダーに加工される際に折り畳まれる位置に予め折り目が付与されたフィルム
を備える記録媒体。
【請求項２】
前記フィルムにおける前記記録面とは反対側の面に対して、剥離可能に貼り付けられた台紙
を備える請求項１に記載の記録媒体。
【請求項３】
前記フィルムは、前記記録面を一方の面に有し、
前記折り目は、前記記録面に対して谷折りされている
請求項１又は２に記載の記録媒体。
【請求項４】
前記台紙は、前記記録面に画像が記録される際の搬送方向に対する後端及び両側の側端で、前記フィルムの外側へはみ出している
請求項２又は、請求項２を引用する請求項３に記載の記録媒体。
【請求項５】
前記台紙は、前記記録面に画像が記録される際の搬送方向に対する先端が、前記フィルムの先端と略同一な位置に設けられている
請求項２、請求項２を引用する請求項３、及び請求項４のいずれか１項に記載の記録媒体。
【請求項６】
前記台紙における前記フィルムの外側へはみ出した部分の前記フィルム側の表面に設けられ、当該表面と前記フィルムの記録面との段差を埋める部材
を備える
請求項４又は、請求項４を引用する請求項５に記載の記録媒体。
【発明の詳細な説明】
【技術分野】
【０００１】
本発明は、記録媒体に関する。
【背景技術】
【０００２】
特許文献１には、支持体上の一方の面に少なくとも記録層が設けられ、他方の面上に剥離層、粘着層、および除去シートがこの順に積層された画像記録シートが開示されている。
【先行技術文献】
【特許文献】
【０００３】
【特許文献１】特開２００１−２０５９３６号公報
【発明の概要】
【発明が解決しようとする課題】
【０００４】
本発明は、フィルムをホルダーへ加工する加工処理が容易となる記録媒体を提供することを課題とする。
【課題を解決するための手段】
【０００５】
請求項１の発明は、画像が記録される記録面を有し、ホルダーに加工される際に折り畳まれる位置に予め折り目が付与されたフィルムを備える記録媒体である。
【０００６】
請求項２の発明は、前記フィルムにおける前記記録面とは反対側の面に対して、剥離可能に貼り付けられた台紙を備える請求項１に記載の記録媒体である。
【０００７】
請求項３の発明は、前記フィルムは、前記記録面を一方の面に有し、前記折り目は、前記記録面に対して谷折りされている請求項１又は２に記載の記録媒体である。
【０００８】
請求項４の発明は、前記台紙は、前記記録面に画像が記録される際の搬送方向に対する後端及び両側の側端で、前記フィルムの外側へはみ出している請求項２又は、請求項２を引用する請求項３に記載の記録媒体である。
【０００９】
請求項５の発明は、前記台紙は、前記記録面に画像が記録される際の搬送方向に対する先端が、前記フィルムの先端と略同一な位置に設けられている請求項２、請求項２を引用する請求項３、及び請求項４のいずれか１項に記載の記録媒体である。
【００１０】
請求項６の発明は、前記台紙における前記フィルムの外側へはみ出した部分の前記フィルム側の表面に設けられ、当該表面と前記フィルムの記録面との段差を埋める部材を備える請求項４又は、請求項４を引用する請求項５に記載の記録媒体である。
【発明の効果】
【００１１】
本発明の請求項１の構成によれば、本構成における折り目がない場合に比べ、フィルムをホルダーへ加工する加工処理が容易となる。
【００１２】
本発明の請求項２の構成によれば、透明なフィルムを用いた場合でも、光センサによる検知ができる。
【００１３】
本発明の請求項３の構成によれば、ホルダーへ加工された状態において、擦れによる画像の劣化が発生しにくい。
【００１４】
本発明の請求項４の構成によれば、台紙がフィルムの外側へはみ出していない場合に比べ、フィルムに縁無しの画像を記録することが容易になる。
【００１５】
本発明の請求項５の構成によれば、本構成を備えない場合に比べ、画像を記録する際の記録媒体の搬送時において、送り不良(ミスフィード)などが起きにくい。
【００１６】
本発明の請求項６の構成によれば、フィルムと台紙との段差を埋める部材を備えない場合に比べ、画像を記録する際の記録媒体の搬送時において、送り不良(ミスフィード)、斜行（スキュー）などが起きにくい。
【図面の簡単な説明】
【００１７】
【図１】（Ａ）は、本実施形態に係る記録媒体の構成を示す平面図であり、（Ｂ）は、本実施形態に係る記録媒体の構成を示す側面図である。
【図２】本実施形態に係る記録媒体をクリアホルダーに加工する加工方法（加工手順）を示す斜視図である。
【図３】本実施形態に係る記録媒体をクリアホルダーに加工する加工方法（加工手順）を示す斜視図である。
【図４】本実施形態に係る記録媒体に対して画像を転写する構成の一例を示す概略図である。
【図５】本実施形態に係る記録媒体を光センサで検知する構成の一例を示す概略図である。
【図６】本実施形態に係る記録媒体を送り出す構成の一例を示す概略図である。
【図７】図１（Ａ）に示す構成において、折り目をミシン目とした変形例を示す平面図である。
【図８】図１に示す構成において、記録媒体の搬送方向先端側において、台紙がフィルムの外側にはみ出した変形例を示す概略図である。
【図９】図１に示す構成において、台紙におけるフィルムの外側へはみ出した部分の表面に対して、フィルムと台紙との段差を埋めるスペーサを設けた変形例を示す概略図である。
【図１０】図１に示す構成において、フィルムのみで構成した変形例を示す概略図である。
【発明を実施するための形態】
【００１８】
以下に、本発明に係る実施形態の一例を図面に基づき説明する。
【００１９】
（記録媒体の構成）
まず、本実施形態に係る記録媒体の構成を説明する。図１は、本実施形態に係る記録媒体の構成を示す概略図である。
【００２０】
記録媒体１０は、例えば、電子写真式の画像記録装置（プリンタ）によって画像が記録されるものであって、図１（Ａ）（Ｂ）に示されるように、フィルム２０と、台紙３０と、を備えている。
【００２１】
フィルム２０は、ホルダーの一例としてのクリアホルダー（クリアファイル）へ加工される前の展開状態とされたフィルムであって、長方形状とされている。フィルム２０における長辺２０Ａ、２０Ｃの長さは、例えば４４０ｍｍとされ、フィルム２０における短辺２０Ｂ、２０Ｄの長さは、例えば３１２ｍｍとされている。また、フィルム２０は、ポリエチレンテレフタレート（ＰＥＴ）、ポリプロピレン（ＰＰ）などの樹脂材料で構成されており、光を透過するようになっている。
【００２２】
なお、フィルム２０における長辺２０Ａ、２０Ｃ及び短辺２０Ｂ、２０Ｄの長さは、Ａ４サイズの書類を挟むのに対応した長さであるが、これらの長さに限られるものではない。長辺２０Ａ、２０Ｃ及び短辺２０Ｂ、２０Ｄの長さは、例えば、Ａ５サイズの書類を挟むのに対応した長さであってもよい。
【００２３】
ここで、クリアホルダーとは、樹脂材料で構成されたフィルム（シート）を２枚重ね、その間に書類等を挟んで使用するものをいう。なお、当該フィルム（シート）は、不透明であってもよい。また、各フィルム（シート）には、ポケットが付いていてもよい。
【００２４】
フィルム２０は、画像が記録される記録面２２を一方の面（具体的には、表面（上面））に有している。また、フィルム２０には、クリアホルダーへ加工される際に折り畳まれる位置に予め折り目２４が付与されている。折り目２４は、具体的には、図１（Ａ）に示されるように、長さ方向中央部に形成されており、図１（Ｂ）の拡大図で示されるように、記録面２２に対して谷折りされている。折り目２４は、例えば、フィルム２０を一旦折り畳んで折り目となる部分に圧力を付与し、当該折り畳んだフィルム２０を展開することで形成されるようになっている。さらに、フィルム２０の短辺２０Ｂ、２０Ｄには、クリアホルダーに加工された際に、クリアホルダーを開きやすくするための切欠２６が形成されている。
【００２５】
一方、台紙３０は、フィルム２０よりもひと回り大きい長方形状とされており、長辺３０Ａ、３０Ｃの長さが、例えば４５０ｍｍとされ、短辺３０Ｂ、３０Ｄの長さが、例えば３３０ｍｍとされている。台紙３０は、フィルム２０における２つの長辺２０Ａ、２０Ｃ側及び１つの短辺２０Ｄ側でフィルム２０の外側へはみ出している。具体的には、フィルム２０の記録面２２に画像が記録される際の搬送方向に対する後端２０Ｄ及び両側の側端２０Ａ、２０Ｃで、フィルム２０の外側へはみ出している。台紙３０のはみ出し長さは、側端２０Ａ、２０Ｃで例えば９ｍｍ、後端２０Ｄで例えば１０ｍｍとされている。
【００２６】
なお、台紙３０のおける長辺３０Ａ、３０Ｃ及び短辺３０Ｂ、３０Ｄの長さ、及び台紙３０のはみ出し長さは、上記の長さに限られるものではなく、種々の長さとすることができる。また、台紙３０は、フィルム２０の記録面２２に画像が記録される際の搬送方向に対する先端３０Ｂが、フィルム２０の先端２０Ｂと略同一な位置に設けられている。
【００２７】
台紙３０は、フィルム２０における記録面２２とは反対側の反対面２３に対して、剥離可能に貼り付けられている。具体的には、台紙３０は、短辺３０Ｂ（搬送方向先端部）において、耐熱性を有する仮留部材４０（例えば、テープ又は接着剤（のり））によって、仮留めされている。仮留部材４０は、フィルム２０に対する接合力よりも台紙３０に対する接合力が強くされており、フィルム２０を台紙３０から剥離した際に、台紙３０に残るようになっている。
【００２８】
なお、短辺３０Ｂ（搬送方向先端部）の全体で台紙３０とフィルム２０とが仮留される必要はなく、例えば、短辺３０Ｂ（搬送方向先端部）における長辺２０Ａ側と長辺２０Ｃ側との２箇所に仮留部材４０を設け、当該２箇所の仮留部材４０で台紙３０とフィルム２０とが仮留される構成であっても良い。
【００２９】
また、短辺３０Ｂが搬送方向先端側を向いた状態で電子写真式の画像記録装置（プリンタ）へ記録媒体１０が収容（セット）されるように、電子写真式の画像記録装置（プリンタ）に対する収容方向（セット方向）を示すマーク４２が、台紙３０に付されていても良い。
【００３０】
（記録媒体１０のクリアホルダーへの加工方法）
次に、記録媒体１０のクリアホルダーへの加工方法（製造方法）について説明する。
【００３１】
本加工方法では、まず、図２（Ａ）に示されるように、記録媒体１０のフィルム２０の記録面２２に対して、電子写真式の画像記録装置（プリンタ）によって画像Ｇを鏡像にて記録する。なお、画像Ｇを鏡像にて記録するのは、当該画像Ｇが、加工後のクリアホルダーの内面に記録されることになるためである。
【００３２】
次に、図２（Ｂ）に示されるように、フィルム２０を台紙３０から剥離する。次に、図３（Ａ）に示されるように、フィルム２０を折り目２４に沿って折り畳む（２つ折りにする）。
【００３３】
次に、図３（Ｂ）に示されるように、折り畳み状態におけるフィルム２０の短辺２０ＣＡ同士（展開状態における長辺２０Ｃ（図１（Ａ）参照））を、例えば、超音波溶着により接合する。以上のように、フィルム２０がクリアホルダーに加工される。
【００３４】
このように、本実施形態では、フィルム２０を折り目２４に沿って折り畳むので、折り目２４がない場合に比べて、フィルム２０をクリアホルダーへ加工する加工処理が容易となる。
【００３５】
また、フィルム２０に記録された画像Ｇは、クリアホルダーへ加工された状態において、クリアホルダーの内面側に位置し、外側から触れにくいため、擦れによる画像Ｇの劣化が発生しにくい。また、フィルム２０に記録された画像Ｇは、クリアホルダーへ加工された状態において、クリアホルダーの内面側に位置し、クリアホルダーの外面側からフィルム２０を通して視認されるため、フィルム２０によるラミネート効果により、光沢のある画像Ｇとして視認される。
【００３６】
また、例えば、図４に示されるように、画像を保持する画像保持体５０と、当該画像保持体５０に対して対向する対向部材（対向ロール）５２とで、フィルム２０を挟んで搬送しながら、画像保持体５０から画像をフィルム２０へ転写する場合において、フィルム２０の折り目２４が、画像保持体５０に対して谷折りとされるので、山折りとされている場合に比べ、フィルム２０が画像保持体５０に対して引っ掛かりにくく、フィルム２０がスムーズに搬送され、画像Ｇの転写位置ずれ等が発生しにくい。なお、画像保持体５０としては、例えば、感光体ドラム、中間転写ベルト、中間転写ドラム等がある。
【００３７】
また、本実施形態では、フィルム２０が台紙３０に貼り付けられているので、電子写真式の画像記録装置（プリンタ）によって画像を記録する際に、図５（Ａ）に示されるように、記録媒体１０の先端や後端等を光センサ５６によって検知した場合でも、台紙３０によって光センサ５６の光が遮蔽され、記録媒体１０の検知が適切に行われる。すなわち、記録媒体１０がフィルム２０のみの比較例の場合では、図５（Ｂ）に示されるように、光が透過してしまい誤検知する恐れがある。光センサ５６としては、例えば、発光部５６Ａ及び受光部５６Ｂを有する、透過型又は反射型の光センサ５６がある。
【００３８】
また、本実施形態では、記録媒体１０は、図６（Ａ）に示されるように、搬送方向先端側において、台紙３０の先端３０Ｂとフィルム２０の先端２０Ｂとが略同一な位置に設けられているので、記録媒体１０を送り出す送出ロール５８が、記録媒体１０の上方から先端側に接触して回転し、記録媒体１０を送り出す際に、記録媒体１０に対する接触圧が変化しにくく、送り不良(ミスフィード)などが起きにくい。すなわち、図６（Ｂ）に示されるように、記録媒体１０が、搬送方向先端側において、フィルム２０に対して台紙３０がはみ出している比較例の場合では、記録媒体１０を複数枚重ねた場合に、フィルム２０がない部分で空隙Ｓができ、この空隙Ｓによって接触圧が低下して、記録媒体１０の送り出しに影響を与える。
【００３９】
また、本実施形態では、記録媒体１０の搬送方向後端側及び搬送方向側端側において、台紙３０がフィルム２０よりもはみ出しているので、この搬送方向後端側及び搬送方向側端側においてフィルム２０から台紙３０にはみ出すように（図２（Ａ）（Ｂ）参照）、画像Ｇを形成することで、フィルム２０に対して縁無しの画像Ｇが得られる。
【００４０】
なお、電子写真式の画像記録装置（プリンタ）では、記録媒体１０に縁無しの画像を記録しようとすると、記録媒体１０の幅よりも大きなトナー画像を画像保持体５０に保持させる必要があり、記録媒体１０からはみ出した部分のトナーが対向部材５２などに付着し、後続の記録媒体１０を汚染してしまうため、汚染対策が必要となる。
【００４１】
（変形例）
折り目２４としては、図７に示されるように、例えば、ミシン目であってもよい。ミシン目は、例えば、円板の外周に複数の刃を有するカッターを回転させながらフィルム２０の記録面２２に押し当てることで形成される。ミシン目においても、カッターを押し当てることで、記録面２２側が凹状になり、記録面２２に対して谷折りとなる。
【００４２】
また、記録媒体１０としては、図８（Ａ）（Ｂ）に示されるように、記録媒体１０の搬送方向先端側において、台紙３０がフィルム２０の外側にはみ出した構成であってもよい。この構成によれば、記録媒体１０の搬送方向先端側においても、フィルム２０から台紙３０にはみ出すように画像を形成することで、フィルム２０に対して縁無しの画像が得られる。
【００４３】
また、記録媒体１０としては、図９（Ａ）に示されるように、台紙３０におけるフィルム２０の外側へはみ出した部分のフィルム２０側の表面に対して、当該表面とフィルム２０の記録面２２との段差を埋める部材の一例としてのスペーサ６０を設けた構成であってもよい。この構成は、具体的には、図９（Ｂ）に示されるように、台紙３０上に台紙３０と同じ大きさのフィルム６２が剥離可能に貼り付けられて構成されている。そして、フィルム６２部分に枠状に切込みＫを入れて、フィルム２０とスペーサ６０とを分離することで構成されている。この構成によれば、画像を記録する際の記録媒体１０の搬送時において、送り不良(ミスフィード)、斜行（スキュー）などが起きにくい。
【００４４】
また、記録媒体１０としては、図１０（Ａ）（Ｂ）に示されるように、台紙３０を有せず、フィルム２０のみで構成されたものであってもよい。この構成では、フィルム２０の両面が記録面２２とされていても良い。
【００４５】
また、記録媒体１０における折り目２４は、フィルム２０が記録面２２に対して谷折りとされていたが、山折りとされる構成であってもよい。また、記録媒体１０における折り目２４（ミシン目を含む）は、谷折り及び山折りのどちらにも折り畳むことが可能なものであっても良い。
【００４６】
本発明は、上記の実施形態に限るものではなく、種々の変形、変更、改良が可能である。例えば、上記に示した変形例は、適宜、複数を組み合わせて構成しても良い。
【符号の説明】
【００４７】
１０   記録媒体
２０   フィルム
２２   記録面
２３   反対面
２４   折り目
３０   台紙
６０   スペーサ（段差を埋める部材の一例）
【図１】
2013216068.tif 000003
【図２】
2013216068.tif 000004
【図３】
2013216068.tif 000005
【図４】
2013216068.tif 000006
【図５】
2013216068.tif 000007
【図６】
2013216068.tif 000008
【図７】
2013216068.tif 000009
【図８】
2013216068.tif 000010
【図９】
2013216068.tif 000011
【図１０】
2013216068.tif 000012